(57)【要約】      （修正有）【課題】過渡的な正圧下でのカセットの不具合の可能性を低減する流体チャネルを有するカセットを提供する。【解決手段】外科手術用コンソールは、ローラ付ポンプヘッドを有するカセット１０収納領域を含む。カセット１０は、ポンプヘッドにカセットを引き込むラッチ構造によりポンプヘッドに接する所定の位置に保持される。エラストマシートの周縁は、高い過渡的もしくは静的圧力を受けるエラストマシートの一つ以上の領域近傍にあるエラストマシートの一部として一体成形された隆起した頂部もしくは突起を含む。頂部は、エラストマシートが外科手術用コンソールのカセット１０収納部分に堅固に押圧されることを可能にするが、さらにカセット１０がポンプヘッドに引き込まれることを可能にする。カセット１０が高い過渡的圧力に晒されるときエラストマシートが取り除かれるようにならないことを確実にするのに役立つ。【選択図】図１
2007260400.tif 000002
【特許請求の範囲】
【請求項１】
ａ）外装を有する本体と；
ｂ）前記本体に取り付けられる第一の比較的可撓性のエラストマシートであって、前記本体の外装から外向きに突出する少なくとも一つの成型されたポンプチャネルを含む第一のシートと；
ｃ）高い過渡的もしくは静的圧力を受ける前記第一のエラストマシートの全領域に沿って拡がる隆起したリブと；
を具備する、カセット。
【請求項２】
少なくとも一つの第二の可撓性のエラストマシートをさらに具備し、前記第二のエラストマシートは、高い過渡的もしくは静的圧力を受ける前記第二のエラストマシートの全領域に沿って拡がる隆起したリブを有する、請求項１に記載のカセット。
【請求項３】
前記第二の可撓性のエラストマシートは、空気用エラストマを具備する、請求項２に記載のカセット。
【請求項４】
前記第二の可撓性のエラストマシートは、吸引用エラストマを具備する、請求項２に記載のカセット。
【請求項５】
前記第二の可撓性のエラストマシートは、ポンプ用エラストマを具備する、請求項２に記載のカセット。
【請求項６】
前記第二の可撓性のエラストマシートは、バルブ用エラストマを具備する、請求項２に記載のカセット。
【請求項７】
前記第二の可撓性のエラストマシートは、注入用エラストマを具備する、請求項２に記載のカセット。
【請求項８】
ａ）外装を有する本体と；
ｂ）前記本体に取り付けられる第一の比較的可撓性のエラストマシートであって、前記本体の外装から外向きに突出する第一の可撓性シートと；
ｃ）高い過渡的もしくは静的圧力を受ける前記第一の可撓性のエラストマシートの全領域に沿って拡がる隆起したリブと；
を具備する、カセット。
【請求項９】
少なくとも一つの第二の可撓性のエラストマシートをさらに具備し、前記第二のエラストマシートは、高い過渡的もしくは静的圧力を受ける前記第二のエラストマシートの全領域に沿って拡がる隆起したリブを有する、請求項８に記載のカセット。
【請求項１０】
前記第二の可撓性のエラストマシートは、空気用エラストマを具備する、請求項９に記載のカセット。
【請求項１１】
前記第二の可撓性のエラストマシートは、吸引用エラストマを具備する、請求項９に記載のカセット。
【請求項１２】
前記第二の可撓性のエラストマシートは、ポンプ用エラストマを具備する、請求項９に記載のカセット。
【請求項１３】
前記第二の可撓性のエラストマシートは、バルブ用エラストマを具備する、請求項９に記載のカセット。
【請求項１４】
前記第二の可撓性のエラストマシートは、少なくとも一つの成型されたポンプチャネルを具備する、請求項９に記載のカセット。
【請求項１５】
前記第二の可撓性のエラストマシートは、注入用エラストマを具備する、請求項９に記載のカセット。
【発明の詳細な説明】
【技術分野】
【０００１】
本発明は一般に蠕動ポンプ、詳細には眼の外科手術用機器に使用される流体カセットに関する。
【背景技術】
【０００２】
従来技術の蠕動ポンプの殆どは、回転するローラヘッドを使用して長い可撓性のチューブ（時には固定した案内溝間）を圧縮するあるいは圧搾することにより動作する。ローラヘッドが回転すると、ローラはチューブの部分をピンチオフし且つローラ間のチューブに捕捉される流体を回転方向に押圧する。蠕動ポンプは、予測可能な一定の流動性のため医療用に広範に使用される。これらの従来技術装置はしかしながら、大抵は回転するローラヘッドの周囲のポンプ式チューブ部分の手動接続を必要とする。
【０００３】
回転するローラヘッドを使用する従来技術の蠕動ポンプは大抵、望ましくない圧力変動も付与する。幾つかの脈動制動装置が、この問題に対処するために開発されてきた。（例えば、特許文献１を参照）
【０００４】
特許文献２に開示される別の従来技術ポンプは、堅い基盤に接合されあるいは機械的に取り付けられるエラストマシート上にある成型された流体チャネルを有する蠕動ポンプを記載している。ポンプヘッドローラは、ポンプ用モータの回転軸から半径方向に取り付けられ且つエラストマ流体チャネルを堅い基盤に押圧する。この特許に記載される本発明の商用の実施形態は、テキサス州、Fort Worth、Alcon 研究所によりINFINITI（登録商標）視覚システムとして販売されている。この外科手術用コンソールは、エラストマシートが接着剤の使用なしに堅い基盤の中に摩擦嵌合される流体制御装置またはカセットを使用する。そのような工法は、極めて信頼性があると分ったが、この商用装置は主に白内障の手術を対象とし且つ蠕動ポンプ以外の他の排気部を有しない。したがって、流体装置は最初に負圧または真空に晒され且つ一次排気部としてベンチュリポンプを使用する外科手術の後半の還流操作の際に直面するような過渡的な高い正圧に晒されない。これらの高い正圧は、700mmHgほどにでき且つ摩擦嵌合工法が使用される場合エラストマ/基盤界面で不具合を生ずる可能性を有する。
【０００５】
したがって、過渡的な正圧下でカセットの不具合の可能性を低減する外科手術用カセットのニーズが在り続ける。
【特許文献１】米国特許第4,921,477号明細書（Davis）
【特許文献２】米国特許第6,293,926B1号明細書（Sorensen等）
【発明の開示】
【発明が解決しようとする課題】
【０００６】
本発明は、堅い基盤に接合されあるいは機械的に取り付けられるエラストマシート上にある成型された流体チャネルを有するカセットを提供することにより従来技術カセットを改良する。外科手術用コンソールは、ポンプ用モータの回転軸から半径方向に取り付けられ且つエラストマ流体チャネルを堅い基盤に押圧するローラ付ポンプヘッドを有するカセット収納領域を含む。カセットは、ポンプヘッドにカセットを引き込むラッチ構造によりポンプヘッドに接する所定の位置に保持される。エラストマシートは、高い過渡的もしくは静的圧力を受けるエラストマシートの一つ以上の領域近傍にあるエラストマシートの一部として一体成形された隆起した頂部もしくは突起を含む。頂部は、エラストマシートが外科手術用コンソールのカセット収納部分に堅固に押圧されることを可能にするが、さらにカセットがポンプヘッドに引き込まれることを可能にする。外科手術用コンソールのカセット収納部分にシート頂部を堅固に係合することは、カセットが高い過渡的圧力に晒されるときエラストマシートが取り除かれるようにならないことを確実にするのに役立つ。
【課題を解決するための手段】
【０００７】
本発明の一つの目的は、成型されたエラストマ流体チャネルを使用する蠕動ポンプを提供することである。
【０００８】
本発明の別の目的は、半径方向に配向されたポンプローラを有する蠕動ポンプを提供することである。
【０００９】
本発明のさらに別の目的は、エラストマ流体チャネルを堅い基盤に押圧するポンプローラを有する蠕動ポンプを提供することである。
【００１０】
本発明のさらに別の目的は、堅い基盤に嵌合するエラストマシートを有するカセットを提供することである。
【００１１】
本発明のさらに別の目的は、カセットが高い過渡的圧力に晒されるときエラストマシートが取り除かれるようにならないように、堅い基盤に嵌合するエラストマシートを有するカセットを提供することである。
【００１２】
本発明のこれらと他の利点と目的は、以下の詳細説明、図面及び請求項から明らかであろう。
【発明を実施するための最良の形態】
【００１３】
図１−３で最もよく分るように、本発明のカセット１０は一般に、流体源２０を注入するために流体接続するカセット１０用の複数の流体接続部１４と外科手術の際に使用される外科手術用ハンドピース２２とがある前面１２を有する本体１１を含む。カセット１０はまた、外科手術用コンソール２４からカセット１０を取り外したり設置したりするのに役立つハンドル１６も含む。図２で最もよく分るように、カセット１０は、前面１２に向き合い且つ外科手術用コンソール２４と機械的及び流体的に相互作用するようになっている後面１８を有する。空気用エラストマ２５、注入用エラストマ２６、吸引用エラストマ２８、バルブ用エラストマ１００及びポンプ用エラストマ３０などの複数のエラストマ界面形成シートがカセット１０の後面１８に摩擦的に取り付けられる。カセット１０は、ポンプ用エラストマ３０が、ラッチ３８によりコンソール２４に取り付けられたポンプ構造３２に押圧されるようにコンソール２４の内部に取り付けられる。カセット１０は、熱可塑性などの適切な材料から成型でき、またエラストマ２５，２６、２８、及び３０は、シリコンゴムなどの適切なエラストマから成型できる。
【００１４】
図４で最もよく分るように、ポンプ用エラストマ３０はほぼ円形であり、ポンプ構造３２に取り付けられるローラヘッド（図示せず）の大きさと形状に近似している。ポンプ用エラストマ３０は、カセット１０を介して蠕動ポンプ作用を付与するためにポンプ構造３２と相互作用するポンプチャネル３４を含む。カセット１０の操作とポンプ構造３２は、特許文献２により詳しく記載されていて、その内容は引用することにより本明細書に組み込まれている。ポンプ用エラストマ２５、２６、２８、３０及び１００が、コンソール２４に堅固に押圧されて、エラストマ２５、２６、２８、３０及び１００を高い過渡的圧力に晒したときカセット１０から取り除くことができる可能性を低減するのに役立つように、エラストマ２５，２６，２８及び３０は、高い過渡的もしくは静的圧力を受けるエラストマ２５，２６，２８，３０及び１００の全領域の周囲に拡がる隆起したリブまたは突起３６を含む。リブ３６は、ラッチ３８がカセット１０をコンソール２４の中に押圧するとき圧縮されて、エラストマ２５、２６、２８、３０及び１００の移動を阻止するのに役立っている。
【００１５】
この記載は、イラストと説明のために与えられる。発明の要旨または精神から逸脱することなしに本明細書に記載される修正が本発明に対し実施されてよいことは当業者には明らかであろう。
【図面の簡単な説明】
【００１６】
【図１】図１は、本発明のカセットの前面斜視図である。
【図２】図２は、本発明のカセットの後面斜視図である。
【図３】図３は、外科手術用コンソールに設置された本発明の外科手術用カセットの略図である。
【図４】図４は、本発明のカセット上で使用されるポンプ用エラストマシートの後面斜視図である。
【符号の説明】
【００１７】
１０    カセット
１１    本体
１２    前面
１４    流体接続部
１６    ハンドル
１８    後面
２０    流体源
２２    外科手術用ハンドピース
２４    外科手術用コンソール
２５    空気用エラストマ
２６    注入用エラストマ
２８    吸引用エラストマ
３０    ポンプ用エラストマ
３２    ポンプ構造
３４    ポンプチャネル
３６    隆起したリブまたは突起
３８    ラッチ
１００    バルブ用エラストマ
【図１】
2007260400.tif 000003
【図２】
2007260400.tif 000004
【図３】
2007260400.tif 000005
【図４】
2007260400.tif 000006